(57)【要約】【課題】パチンコ機の遊技盤の裏面側に設ける盤面部品配設用の開口部を下方に拡大できるようにする。【解決手段】遊技盤２３を支持する本体枠１２の裏面側上部には、球タンク１４、タンクレール１５等を配置し、本体枠１２の裏面側の側部には、球払出装置１７等を配置する。更に、本体枠１２の裏面側下部には、枠制御基板２６、電源基板２７等の回路基板を配置するが、枠制御基板２６は、本体枠１２の裏面側下部の左端に寄せて配置し、電源基板２７は、本体枠１２の裏面側下部の右端に寄せて配置する。これにより、本体枠１２の裏面側下部のうちの枠制御基板２６と電源基板２７との間に、盤面部品配設用の開口部２５の拡大スペースを確保して、盤面部品配設用の開口部２５の中央部分を従来よりも下方へ拡大できるようにする。【選択図】  図１
2005021224.tif 000002
【特許請求の範囲】
【請求項１】
遊技盤を支持する本体枠の裏面側に、各種の回路基板を配置した遊技機において、
主要な回路基板を前記本体枠の裏面側下部の左右両端の少なくとも一方に寄せて配置したことを特徴とする遊技機。
【請求項２】
遊技盤の下部に、アウト球回収口を設けると共に、前記遊技盤を支持する本体枠の裏面側下部に、該遊技盤の前面側から前記アウト球回収口を通って裏面側に転動したパチンコ球を受け入れるアウト球通路を設けた遊技機において、
少なくとも前記アウト球回収口付近における前記アウト球通路の裏面壁の高さが該アウト球回収口とほぼ同じになるように構成されていることを特徴とする遊技機。
【発明の詳細な説明】
【０００１】
【発明の属する技術分野】
本発明は、裏面側下部の構成を改善した遊技機に関するものである。
【０００２】
【従来の技術】
一般に、パチンコ機等の遊技機は、遊技盤に、センター役物、入賞装置等の盤面部品を組み付け、この遊技盤を支持する本体枠の裏面側（本体枠の裏面又は本体枠の裏面に取り付けた機構板）に、球タンク、球払出装置、電源基板、払出制御基板等の裏部品を組み付けるようにしているが、遊技盤に設けられた盤面部品の中には、例えばセンター役物のように遊技盤の裏面側に大きく突出するものがある。
【０００３】
そこで、従来の一般的なパチンコ機は、例えば、特許文献１（特開２００１−２７６３９３号公報）に記載されているように、本体枠の裏面側の上部に球タンクを配置すると共に、裏面側の右側部に球払出装置を配置して、本体枠の裏面側のパチンコ球の球流下経路を上部から右側部に渡って略逆Ｌ字状に形成し、本体枠の裏面側の下部に、電源基板、払出制御基板等の各種の回路基板を配置することで、本体枠や機構板の中央部には、遊技盤の裏面側に突出する盤面部品との干渉を回避するための開口部を形成できるようにしている。
【０００４】
【特許文献１】
特開２００１−２７６３９３号公報（第３頁、第１図等）
【０００５】
【発明が解決しようとする課題】
近年のパチンコ機は、遊技盤面に形成する遊技領域の拡大化、センター役物の大型化や各種の盤面部品の増加等によって、遊技盤の裏面側に突出する盤面部品の領域が拡大する傾向にあり、それに対応するために本体枠や機構板に形成する盤面部品配設用の開口部を拡大することが要求されるようになってきている。
【０００６】
しかし、前述したように、従来の一般的なパチンコ機は、裏面側の下部に、電源基板、払出制御基板等の各種の回路基板が配置されているため、盤面部品配設用の開口部を上下方向に拡大しようとしても、回路基板の配置スペースによって開口部の下方への拡大がすぐに制限されてしまい、盤面部品配設用の開口部を下方へ十分に拡大することができないという問題がある。
【０００７】
本発明はこのような事情を考慮してなされたものであり、従ってその目的は、盤面部品配設用の開口部を下方へ十分に拡大することができ、遊技領域の拡大化等に伴う開口部の拡大化の要求を満たすことができる遊技機を提供することにある。
【０００８】
【課題を解決するための手段】
上記目的を達成するために、本発明の請求項１は、遊技盤を支持する本体枠の裏面側に、各種の回路基板を配置した遊技機において、主要な回路基板を本体枠の裏面側下部の左右両端の少なくとも一方に寄せて配置するようにしたものである。ここで、主要な回路基板とは、例えば、主制御基板や枠制御基板等の遊技機内の各種電気部品の制御を行う制御基板や、各種電気部品へ電源を供給するための電源基板や、遊技機に配置される基板の中でも比較的大きな基板等のことを示している。
【０００９】
本発明のように、主要な回路基板を本体枠の裏面側下部の左右両端の少なくとも一方に寄せて配置すれば、主要な回路基板の配置スペースを本体枠の裏面側下部の左右両側に確保して、その中間部を盤面部品配設用の開口部のスペースとして利用することができるので、盤面部品配設用の開口部を従来よりも下方へ拡大することができる。この方法は、盤面部品配設用の開口部の中央部分の下方への拡大量を増加させることができるので、略長円形状（又は略円形状）の遊技領域に対する開口部の開口割合を効果的に大きくすることができる。
【００１０】
一般に、遊技盤の下部（遊技領域の最下部）には、入賞しなかったパチンコ球（いわゆるアウト球）を回収するアウト球回収口が設けられ、本体枠の裏面側下部には、遊技盤の前面側からアウト球回収口を通って裏面側に転動したパチンコ球を受け入れるアウト球通路が設けられている。この場合、アウト球通路の裏面壁の高さ（裏面壁の上端位置）を下げれば、その分、開口部を下方に拡大することができる。しかし、アウト球通路の裏面壁の高さをアウト球回収口よりも低くすると、アウト球回収口を通って遊技盤の裏面側に転動したパチンコ球が、アウト球通路の裏面壁を飛び越えてアウト球通路の外にこぼれ落ちてしまう不具合が発生する。
【００１１】
そこで、請求項２のように、少なくともアウト球回収口付近におけるアウト球通路の裏面壁の高さが該アウト球回収口とほぼ同じになるように構成するようにすると良い。このようにすれば、アウト球回収口を通って遊技盤の裏面側に転動したパチンコ球がアウト球通路の裏面壁を飛び越えてアウト球通路の外にこぼれ落ちてしまうことを防止できる。また、アウト球通路の裏面壁に所定の回路基板を取り付ける場合には、アウト球回収口付近における回路基板の配置スペースをアウト球回収口以下に下げることができ、それに伴って、盤面部品配設用の開口部をアウト球回収口付近（遊技領域の最下部付近）まで下方に拡大することが可能となる。
【００１２】
【発明の実施の形態】
《実施形態（１）》
以下、本発明をパチンコ機に適用した実施形態（１）を図１に基づいて説明する。パチンコ機１１（遊技機）の本体枠１２の裏面側には、裏部品を組み付ける機構板１３が取り付けられている。この機構板１３は、本体枠１２の上部裏面に沿って左右方向に延びる部分１３ａと本体枠１２の左側部裏面に沿って上下方向に延びる部分１３ｂとからなる略逆Ｌ字形状に形成されている。
【００１３】
機構板１３の左右方向に延びる部分１３ａには、パチンコ島の球補給通路（図示せず）からパチンコ球が補給される球タンク１４と、この球タンク１４の球出口から流れ出るパチンコ球を整列状態で流下させるタンクレール１５とが設けられている。
【００１４】
また、機構板１２の上下方向に延びる部分１３ｂには、タンクレール１５から流れ出るパチンコ球を流下させる球供給路１６と、この球供給路１６から供給されるパチンコ球を賞球（又は貸球）として払い出す球払出装置１７とが設けられている。球払出装置１７の球排出流路１８の下方には、球抜き装置１９を介して球払出流路２０と球抜き流路２１とが、パチンコ機１１の前後方向に並ぶように配置されている。球払出流路２０は、パチンコ機１１の前面側に配置された球皿（図示せず）に接続され、一方、球抜き流路２１は、パチンコ島の球回収通路（図示せず）に接続されている。
【００１５】
また、本体枠１２の前面側に支持された遊技盤２３の前面には、レール等によってパチンコ球が転動する遊技領域２４が略長円形状（又は略円形状）に区画形成され、この遊技領域２４に、多くの盤面部品（センター役物、入賞装置等）が組み付けられている。遊技盤２３に設けられた盤面部品の中には、例えばセンター役物のように遊技盤２３の裏面側に大きく突出するものがあるため、本体枠１２の中央部には、遊技盤２３の裏面側に突出する盤面部品との干渉を回避するための開口部２５が設けられている。
【００１６】
一方、本体枠１２の裏面側下部には、枠制御基板２６、電源基板２７等の主要な回路基板が配置されている。枠制御基板２６は、球払出装置１７を制御する機能と、球発射装置（図示せず）を制御する機能を備えている。電源基板２７は、パチンコ島等の外部電源（図示せず）から供給される交流電圧を複数種類の直流電圧に変換する機能と、各直流電圧をパチンコ機１１の電源仕様に応じて分配する機能を備えている。
【００１７】
本実施形態（１）では、枠制御基板２６が、本体枠１２の裏面側下部の左端に寄せて配置され、電源基板２７が、本体枠１２の裏面側下部の右端に寄せて配置されている。これにより、本体枠１２の裏面側下部のうちの枠制御基板２６と電源基板２７との間に、盤面部品配設用の開口部２５の拡大スペースを確保できるようにしている。尚、枠制御基板２６を右端に寄せて配置し、電源基板２７を左端に寄せて配置しても良い。
【００１８】
また、パチンコ機１１全体の制御を管理するメイン制御基板、液晶表示器等の画像表示部を制御する画像制御基板、各種のランプやスピーカーの音声を制御するランプ音声制御基板（いずれも図示せず）等は、遊技盤２３側（例えばセンター役物の裏面）に配置されている。
【００１９】
尚、比較的小さい回路基板（例えば、電源基板２７と各種の制御基板との接続を中継するための中継基板）を、本体枠１２の裏面側下部のうちの枠制御基板２６と電源基板２７との間に配置するようにしても良い。
【００２０】
以上説明した本実施形態（１）では、枠制御基板２６と電源基板２７を本体枠１２の裏面側下部の左右両端に寄せて配置するようにしたので、枠制御基板２６と電源基板２７の配置スペースを本体枠１２の裏面側下部の左右両側に確保して、その中間部に盤面部品配設用の開口部２５の拡大スペースを確保することができ、開口部２５の中央部分を従来よりも下方へ拡大することができる。この方法は、盤面部品配設用の開口部２５の中央部分の下方への拡大量を増加させることができるので、略長円形状（又は略円形状）の遊技領域２４に対する開口部２５の開口割合を効果的に大きくすることができ、遊技領域２４の拡大化等に伴う開口部２５の拡大化の要求を十分に満たすことができる。
【００２１】
尚、上記実施形態（１）では、１つの枠制御基板２６で球払出装置１７と球発射装置を制御するようにしたが、球払出装置１７を制御する払出制御基板と、球発射装置を制御する発射制御基板とを別々に設けるようにしても良い。この場合、上記実施形態（１）の枠制御基板２６の配置スペースに、払出制御基板と発射制御基板とを上下（又は左右に）並べて配置するようにしても良いが、払出制御基板と発射制御基板とを前後に重ねて配置するようにしても良い。
【００２２】
また、上記実施形態（１）では、１つの電源基板２７で交流電圧を複数種類の直流電圧に変換して各直流電圧をパチンコ機１１の電源仕様に応じて分配するようにしたが、交流電圧を直流電圧に変換する電力変換基板と、各直流電圧を分配する分電基板とを別々に設けるようにしても良い。この場合、上記実施形態（１）の電源基板２７の配置スペースに、電力変換基板と分電基板とを上下（又は左右に）並べて配置するようにしても良いが、電力変換基板と分電基板とを前後に重ねて配置するようにしても良い。
【００２３】
更に、本体枠１２の裏面側下部の左右両端に寄せて配置する主要な回路基板は、適宜変更しても良い。ここで、主要な回路基板とは、例えば、主制御基板や枠制御基板２６等の遊技機内の各種電気部品の制御を行う制御基板や、各種電気部品へ電源を供給するための電源基板２７や、遊技機に配置される基板の中でも比較的大きな基板等のことを示している。
【００２４】
この場合、左右の主要な回路基板の間隔寸法としては、振分装置等の一般的な突出部の幅寸法である５０ｍｍ以上であることが好ましく、更に、アタッカーの一般的な突出部の幅寸法である９０ｍｍ以上であることがより好ましい。
【００２５】
また、本発明は、本体枠１２の裏面側下部の左右両端にそれぞれ主要な回路基板を配置する構成に限定されず、本体枠１２の裏面側下部の左右両端のいずれか一方のみに主要な回路基板を配置する構成としても良い。
【００２６】
《実施形態（２）》
次に、図２及び図３を用いて本発明の実施形態（２）を説明する。但し、前記実施形態（１）と実質的に同一部分には同一符号を付して説明を簡略化する。
【００２７】
図２及び図３に示すように、遊技盤２３の下部（遊技領域２４の最下部）には、遊技領域２４で入賞しなかったパチンコ球（アウト球）を回収するアウト球回収口２８が設けられ、本体枠１２の裏面側下部には、遊技盤２３の前面側からアウト球回収口２８を通って裏面側に転動したパチンコ球を受け入れる球集合樋２９（アウト球通路）が設けられている。
【００２８】
この球集合樋２９は、遊技盤２３の下端部に沿って左右方向に延びるように設けられ、遊技盤２３の遊技領域２４で入賞したパチンコ球（セーフ球）も、球集合樋２９に受け入るようになっている。球集合樋２９内のパチンコ球（アウト球又はセーフ球）は、球集合樋２９の傾斜によって下流へ流下し、その最下流部に接続された球排出路３０から下方に排出される。
【００２９】
また、球集合樋２９の裏面壁３１には、枠制御基板２６が取り付けられている。この球集合樋２９の裏面壁３１（つまり枠制御基板２６の取付面）は、少なくともアウト球回収口２８付近における部分の高さがアウト球回収口２８とほぼ同じになるように設けられている。尚、球集合樋２９の裏面壁３１の上方に、必要に応じてセーフ球を受けるための補助裏面壁を取り付けるようにしても良い。
【００３０】
この場合、アウト球回収口２８の真上に盤面部品が配設されることを考慮し、それらの盤面部品の突出部の幅寸法を考慮して、好ましくは５０ｍｍ以上、より好ましくは９０ｍｍ以上の幅寸法にわたり、球集合樋２９（アウト球通路）の裏面壁３１の高さのアウト球回収口２８付近の具体的な横幅寸法を、アウト球回収口２８と同じ高さにすることで確実に開口部の拡大が可能となる。
【００３１】
以上説明した本実施形態（２）のように、球集合樋２９の裏面壁３１に、枠制御基板２６を取り付ける構成の場合、球集合樋２９の裏面壁３１（つまり枠制御基板２６の取付面）の高さを下げれば、その分、枠制御基板２６の配置スペースを下げて、盤面部品配設用の開口部２５を下方に拡大することができる。しかし、球集合樋２９の裏面壁３１の高さをアウト球回収口２８よりも低くすると、アウト球回収口２８を通って遊技盤２３の裏面側に転動したパチンコ球が、球集合樋２９の裏面壁３１を飛び越えて球集合樋２９の外にこぼれ落ちてしまう可能性がある。
【００３２】
その点、本実施形態（２）では、少なくともアウト球回収口２８付近における球集合樋２９の裏面壁３１（つまり枠制御基板２６の取付面）の高さがアウト球回収口２８とほぼ同じになるようにしたので、アウト球回収口２８を通って遊技盤２３の裏面側に転動したパチンコ球が球集合樋２９の裏面壁３１を飛び越えて球集合樋２９の外にこぼれ落ちてしまうことを防止しながら、枠制御基板２６の配置スペースをアウト球回収口２８以下に下げることができる。これにより、盤面部品配設用の開口部２５をアウト球回収口２８付近（遊技領域２４の最下部付近）まで下方に拡大することができ、遊技領域２４の拡大化等に伴う開口部２５の拡大化の要求を十分に満たすことができる。
【００３３】
尚、上記実施形態（２）では、球集合樋２９の裏面壁３１に、枠制御基板２６を取り付けるようにしたが、これに限定されず、球集合樋２９の裏面壁３１に、電源基板２７を取り付けるようにしても良い。また、枠制御基板２６を払出制御基板と発射制御基板とに分離したり、電源基板２７を電力変換基板と分電基板とに分離した構成では、これらの回路基板のうちの１つ又は２つ以上の回路基板を球集合樋２９の裏面壁３１に取り付けるようにしても良い。
【００３４】
また、上記実施形態（２）では、アウト球とセーフ球を受け入れる球集合樋２９の裏面壁３１に回路基板を設ける構成に本発明を適用したが、セーフ球を受け入れる球集合樋とは別に、アウト球のみを受け入れるアウト球専用通路を設け、このアウト球専用通路の裏面壁に回路基板を設ける構成に本発明を適用しても良い。
【００３５】
また、上記各実施形態では、機構板１３を略Ｌ字形状に形成したが、これに限定されず、例えば、機構板１３を略コ字形状や略ロ字形状に形成しても良い等、機構板１３の形状は適宜変更しても良い。また、機構板１３を設けずに、本体枠１２の裏面に裏部品を組み付ける構成としても良い。
【００３６】
また、上記各実施形態では、本体枠１２の裏面側の左側部に球払出装置１７を配置して、裏面側のパチンコ球の球流下経路を上部から左側部に渡って略逆Ｌ字状に形成したが、本体枠１２の裏面側の右側部に球払出装置１７を配置して、裏面側のパチンコ球の球流下経路を上部から右側部に渡って略逆Ｌ字状に形成するようにしても良い。
【００３７】
その他、本発明の適用範囲は一般のパチンコ機に限定されず、アレンジ式のパチンコ機やパチンコ球を使用してスロットゲームを行う遊技機等、種々の遊技機に本発明を適用しても良い。
【００３８】
【発明の効果】
以上の説明から明らかなように、本発明の請求項１の遊技機によれば、主要な回路基板を本体枠の裏面側下部の左右両端の少なくとも一方に寄せて配置するようにしたので、盤面部品配設用の開口部の中央部分を従来よりも下方へ拡大することができて、遊技領域に対する開口部の開口割合を効果的に大きくすることができ、遊技領域の拡大化等に伴う開口部の拡大化の要求を十分に満たすことができる。
【００３９】
また、請求項２では、アウト球通路の裏面壁の高さがアウト球回収口とほぼ同じになるようにしたので、アウト球回収口を通って遊技盤の裏面側に転動したパチンコ球がアウト球通路の外にこぼれ落ちてしまうことを防止しながら、盤面部品配設用の開口部をアウト球回収口付近（遊技領域の最下部付近）まで下方に拡大することができる。
【図面の簡単な説明】
【図１】本発明の実施形態（１）のパチンコ機の裏面図
【図２】実施形態（２）のパチンコ機の裏面図
【図３】実施形態（２）のアウト球回収口及びその周辺部の縦断側面図
【符号の説明】
１１…パチンコ機（遊技機）、１２…本体枠、１４…球タンク、１５…タンクレール、１７…球払出装置、２３…遊技盤、２４…遊技領域、２５…開口部、２６…枠制御基板（主要な回路基板）、２７…電源基板（主要な回路基板）、２８…アウト球回収口、２９…球集合樋（アウト球通路）、３１…裏面壁。
【図１】
2005021224.tif 000003
【図２】
2005021224.tif 000004
【図３】
2005021224.tif 000005